(57)【要約】【課題】ディスク装置内蔵型テレビジョン受信装置において、一方の装置で設定された内容を、他方の装置でも有効として扱うことでユーザの使い勝手を向上する。【解決手段】ディスク側マイコン１１において、複数種類の音声言語及び／または字幕言語の中から任意の音声言語及び／または字幕言語が優先設定された場合には、ディスク側マイコン１１はその優先設定情報をバス通信３５を介してＴＶ側マイコン２１に常時送信する。ＴＶ側マイコン２１は、複数種類の音声言語及び／または字幕言語を含む放送信号を受信すると、ディスク装置側マイコン１１から送信されてきた優先設定情報に基づいて出力音声言語及び／または表示字幕言語を設定して、受信した放送信号の視聴を開始させる。【選択図】図１
2007123964.tif 000002
【特許請求の範囲】
【請求項１】
ディスク装置の制御手段とテレビジョン受信装置の制御手段とがバス通信によって接続されており、かつ、優先したい音声言語及び／または字幕言語の設定が可能なディスク装置内蔵型テレビジョン受信装置において、
前記ディスク装置側の制御手段において、複数種類の音声言語及び／または字幕言語の中から任意の音声言語及び／または字幕言語が優先設定された場合には、前記ディスク装置側の制御手段はその優先設定情報を前記テレビジョン受信装置側の制御手段に送信し、テレビジョン受信装置側の制御手段は、複数種類の音声言語及び／または字幕言語を含む放送信号を受信すると、前記ディスク装置側の制御手段から送信されてきた優先設定情報に基づいて出力音声言語及び／または表示字幕言語を設定することを特徴とするディスク装置内蔵型テレビジョン受信装置。
【請求項２】
ディスク装置の制御手段とテレビジョン受信装置の制御手段とがバス通信によって接続されており、かつ、優先したい音声言語及び／または字幕言語の設定が可能なディスク装置内蔵型テレビジョン受信装置において、
一方の制御手段において、複数種類の音声言語及び／または字幕言語の中から任意の音声言語及び／または字幕言語が優先設定された場合には、他方の制御手段においてもその優先設定を有効として音声出力及び／または字幕表示を行うことを特徴とするディスク装置内蔵型テレビジョン受信装置。
【請求項３】
前記一方の制御手段は、任意の音声言語及び／または字幕言語を優先設定した場合には、その優先設定情報を前記他方の制御手段に常時送信することを特徴とする請求項２に記載のディスク装置内蔵型テレビジョン受信装置。
【請求項４】
前記一方の制御手段は、任意の音声言語及び／または字幕言語を優先設定した場合には、その優先設定情報を、優先設定時及びその後の電源オン時に前記他方の制御手段に送信し、他方の制御手段は受信した前記優先設定情報をメモリ部に記憶することを特徴とする請求項２に記載のディスク装置内蔵型テレビジョン受信装置。
【請求項５】
前記一方の制御手段によって任意の音声言語及び／または字幕言語が優先設定されている状態において、前記他方の制御手段により任意の音声言語及び／または字幕言語が優先設定された場合には、前記一方の制御手段においてもその優先設定を有効としてその後の音声出力及び／または字幕表示を行うことを特徴とする請求項２に記載のディスク装置内蔵型テレビジョン受信装置。
【発明の詳細な説明】
【技術分野】
【０００１】
本発明は、ディスク装置の制御手段とテレビジョン受信装置の制御手段とがバス通信によって接続されており、かつ、優先したい音声言語及び／または字幕言語の設定が可能なディスク装置内蔵型テレビジョン受信装置に関する。
【背景技術】
【０００２】
ＤＶＤ規格では、音声圧縮方式としてＡＣ３（Audio Code number3）を採用しており、米国における地上波デジタルテレビ放送の規格であるＡＴＳＣ（Advanced Television Systems Committee）においても音声圧縮方式としてＡＣ３を採用している。このようなＡＣ３を採用しているＤＶＤプレーヤでは、セットアップ画面において、優先したい音声言語や字幕言語、メニュー言語を予め設定できる機能を備えている。同様に、音声圧縮方式にＡＣ３を採用しているデジタルテレビジョン受信装置においても、セットアップ画面において、優先したい音声言語や字幕言語、メニュー言語を予め設定できる機能を備えている場合がある。
【０００３】
一方、このようなデジタル放送だけでなく、従来のアナログ放送でも、音声多重放送では、例えば右チャンネルに日本語、左チャンネルに英語といった二カ国語放送が行なわれており、ユーザは、視聴に際して任意の音声言語を設定できるようになっている。
【０００４】
ところで、このようなＤＶＤプレーヤを内蔵したテレビジョン受信装置においては、ＤＶＤ側の制御手段とテレビ側の制御手段とがバス通信によって接続されている。そこで、この点に着目して、両制御手段の通信により、ＤＶＤ側の任意の処理とテレビ側の任意の処理とを共通化したシステムが提案されている（例えば、特許文献１参照）。具体的には、テレビ側の制御手段には、これが実行する設定項目、例えば、画質設定やチャンネルのプリセットなどに関する種々の設定項目と、この設定項目の制御データとを関連付けて予め記憶したテレビ用メモリが対応して設けられ、ＤＶＤ側の制御手段には、これが実行する設定項目、例えば、本編画像とオプション画像との選択などに関するディスクメニューの設定項目と、この設定項目の制御データとを関連付けて予め記憶しているＤＶＤ用メモリが対応して設けられており、両メモリに記憶されている実質的に同じ制御内容のデータについては、テレビ用メモリにのみ記憶し、ＤＶＤ用メモリから削除している。そして、ＤＶＤ側の制御手段は、必要に応じテレビ用メモリを共用して、削除した上記の制御データを実行するようになっている。
【特許文献１】特開２００２−２１５５９６号公報
【発明の開示】
【発明が解決しようとする課題】
【０００５】
上記したように、ＤＶＤプレーヤは、セットアップ画面において、優先したい音声言語や字幕言語、メニュー言語を予め設定できる機能を備えており、テレビジョン受信装置も、セットアップ画面において、優先したい音声言語や字幕言語、メニュー言語を予め設定できる機能を備えている場合があるが、これらの優先設定は、いずれは当該装置においてのみ有効であり、例えばＤＶＤプレーヤで設定された内容がテレビジョン受信装置側でも有効に作用するようなシステムとはなっていない。
【０００６】
また、共用化に関しては、上記特許文献１に記載されているように、両方に共通の制御データについてのみ共用化が図られているだけであり、その設定はいずれもそれぞれの装置において行う必要があった。つまり、一方装置での設定が他方の装置の設定に有効に作用するものではない。
【０００７】
本発明はかかる問題点を解決すべく創案されたもので、その目的は、一方の装置で設定された内容を、他方でも有効として扱うことでユーザの使い勝手を向上したディスク装置内蔵型テレビジョン受信装置を提供することにある。
【課題を解決するための手段】
【０００８】
上記課題を解決するため、本発明のディスク装置内蔵型テレビジョン受信装置は、ディスク装置の制御手段とテレビジョン受信装置の制御手段とがバス通信によって接続されており、かつ、優先したい音声言語及び／または字幕言語の設定が可能なディスク装置内蔵型テレビジョン受信装置において、一方の制御手段において複数種類の音声言語及び／または字幕言語の中から任意の音声言語及び／または字幕言語が優先設定された場合には、他方の制御手段においてもその優先設定を有効として音声出力及び／または字幕表示を行うことを特徴とする。
【０００９】
具体的に説明すると、前記ディスク装置側の制御手段において、複数種類の音声言語及び／または字幕言語の中から任意の音声言語及び／または字幕言語が優先設定された場合には、前記ディスク装置側の制御手段はその優先設定情報を前記テレビジョン受信装置側の制御手段に送信する。テレビジョン受信装置側の制御手段は、複数種類の音声言語及び／または字幕言語を含む放送信号を受信すると、前記ディスク装置側の制御手段から送信されてきた優先設定情報に基づいて出力音声言語及び／または表示字幕言語を設定する。
【００１０】
この場合、前記一方の制御手段は、任意の音声言語及び／または字幕言語を優先設定した場合には、その優先設定情報を前記他方の制御手段に常時送信するように構成する。または、前記一方の制御手段は、任意の音声言語及び／または字幕言語を優先設定した場合には、その優先設定情報を、優先設定時及びその後の電源オン時に前記他方の制御手段に送信するように構成してもよい。
【００１１】
これにより、他方の制御手段では、自装置の音声言語や字幕言語を設定する場合に、一方の制御手段から送信されてくる優先設定情報に基づいて、自動的に音声言語や字幕言語を設定することができる。従って、ユーザは、一方の装置で設定した同じ内容を他方の装置でも再度設定する、といった手間を省くことができる。
【００１２】
また、前記一方の制御手段によって任意の音声言語及び／または字幕言語が優先設定されている状態において、前記他方の制御手段により任意の音声言語及び／または字幕言語が優先設定された場合には、前記一方の制御手段においてもその優先設定を有効としてその後の音声出力及び／または字幕表示を行う構成とする。これにより、いずれか一方の装置で優先設定が行なわれるたびに、その後は、その優先設定が他方の装置にも有効に作用することになる。
【発明の効果】
【００１３】
本発明のディスク装置内蔵型テレビジョン受信装置によれば、他方の制御手段は、自装置の音声言語や字幕言語を設定する場合に、一方の制御手段から送信されてくる優先設定情報に基づいて、自動的に音声言語や字幕言語を設定することができる。例えば、ディスク装置のセットアップ画面で設定した優先音声言語が、テレビジョン受信装置においても共通で使用することができる。従って、ユーザは、一方の装置で設定した同じ内容を他方の装置でも再度設定する、といった手間を省くことができる。
【発明を実施するための最良の形態】
【００１４】
以下、本発明の実施の形態について、図面を参照して説明する。
【００１５】
図１は、本実施形態に係わるディスク装置（例えばＤＶＤ装置）内蔵型テレビジョン受信装置の要部の電気的構成を示す機能ブロック図である。ただし、本実施形態では、ＤＶＤ装置によるディスク再生処理や、テレビジョン受信装置による映像及び音声の信号処理については従来周知の処理であるので、ここではそれぞれディスク信号処理部及びＴＶ信号処理部として簡単な機能ブロックで示している。
【００１６】
すなわち、本実施形態のディスク装置内蔵型テレビジョン受信装置は、ディスク１３を再生するディスク制御系１０と、ＴＶ制御系２０とが１つの筐体内に機能的に連係されて格納されたもので、ディスク制御系１０全体を制御するディスク側マイコン（ディスク側制御手段）１１と、ＴＶ制御系２０全体を制御するＴＶ側マイコン（テレビ側制御手段）２１とがバス通信３５によって双方向に接続された構成となっている。
【００１７】
ディスク側マイコン１１は、本体内に装填されたディスク１３の種類を判別する判別処理や、ディスクの種類に応じた再生処理を行うディスク信号処理部１２を制御する。ディスク信号処理部１２の出力は、切換回路２５を介してＣＲＴまたはディスプレイ等の表示部２６に接続されている。また、ディスク信号処理部１２は、ディスク装置側の各種設定を行うためのセットアップ画面を含む各種設定画面を表示するためのＯＳＤ回路１２ａを備えている。
【００１８】
また、ディスク側マイコン１１は、セットアップ画面において、優先したい音声言語や字幕言語、メニュー言語を予め設定できる機能を備えており、その設定内容を記憶するディスク側メモリ部（ＥＥＰＲＯＭ等）１４を備えている。
【００１９】
一方、テレビジョン信号を受信するチューナ回路２２の出力はＴＶ信号処理部２４に接続されており、ＴＶ信号処理部２４の出力は、切換回路２５を介してＣＲＴまたはディスプレイ等の表示部２６に接続されている。また、ＴＶ信号処理部２４の出力は、増幅器２７を介して内部スピーカ２８に接続されている。ＴＶ信号処理部２４は、テレビジョン受信装置側の各種設定を行うためのセットアップ画面を含む各種設定画面を表示するためのＯＳＤ回路２４ａを備えている。
【００２０】
ＴＶ側マイコン２１は、チューナ回路２２を介して受信したテレビジョン信号を映像信号や音声信号に復号し、映像信号を表示部２６に表示するとともに音声信号を内部スピーカ２８から出力するＴＶ信号処理部２４を制御する。また、ＴＶ側マイコン２１は、セットアップ画面において、優先したい音声言語や字幕言語、メニュー言語を予め設定できる機能を備えており、その設定内容を記憶するＴＶ側メモリ部（ＥＥＰＲＯＭ等）２９を備えている。
【００２１】
また、ＴＶ側マイコン２１には、リモコン４１からの各種操作信号を受信する受信部３１の出力が接続されている。ＴＶ側マイコン２１は、このリモコン４１から送信されてくる各種操作信号に基づいて、ディスク制御系１０及びＴＶ制御系２０の動作制御を行うようになっている。すなわち、本実施形態では、ディスク制御系１０の電源オン、オフを含む全ての制御信号が、ＴＶ側マイコン２１を通じてディスク側マイコン１１に送信されるようになっている。また、切換回路２５の切り換え制御はＴＶ側マイコン２１によって行われるようになっている。
【００２２】
次に、上記構成のディスク装置内蔵型テレビジョン受信装置において、リモコン４１を使用して音声言語または字幕言語の優先設定処理を行った場合の、ＴＶ側マイコン２１及びディスク側マイコン１１による処理動作について説明する。ここでは、リモコン４１を使用してディスク装置側の音声言語または字幕言語の優先設定処理を行った場合の、ディスク側マイコン１１及びＴＶ側マイコン２１による処理動作について、図２及び図３に示すフローチャートを参照して説明する。なお、図２はディスク側マイコンの処理動作、図３はＴＶ側マイコン２１の処理動作である。
【００２３】
ユーザは、リモコン４１を使用して、ディスク装置側のセットアップ画面を表示部２６に表示する。そして、そのセットアップ画面において、優先したい音声言語や字幕言語を予め設定するモードが用意されているので、その設定モードにおいて、優先したい音声言語や字幕言語の設定を行う（ステップＳ１１）。その設定内容は、ディスク側メモリ部１４に記憶される（ステップＳ１２）。
【００２４】
これにより、ディスク１３を装填して再生するときには、ディスク側マイコン１１は、ディスク側メモリ部１４に記憶されているそれぞれの設定言語がディスク１３に記録されているか否かをまず判断し、記録されている場合には、その設定言語によって再生を実行する。例えば、セットアップ画面において、音声言語として「英語」を設定し、字幕言語として「日本語」を設定している場合において、再生ディスクに音声言語として「英語」と「日本語」と「スペイン語」とが記録されており、字幕言語として「英語」と「日本語」とが記録されている場合には、再生音声として「英語」を設定し、字幕言語として「日本語」を設定して、再生を開始する。なお、このような優先設定された言語がディスク１３に記録されていなかった場合には、装置に予め用意されている音声言語のデフォルト値及び字幕言語のデフォルト値に基づいて再生音声と表示字幕の言語を設定する。なお、ディスク１３側で優先設定を禁止している場合には、ディスク１３に記録されている音声言語と字幕言語で再生を開始することになる。
【００２５】
このようにして、優先したい音声言語と字幕言語とが設定されると、その優先設定情報はディスク側マイコン１１からＴＶ側マイコン２１に常時送信される（ステップＳ１３）。
【００２６】
一方、ＴＶ側マイコン２１では、例えばユーザがリモコン４１を使用して所望のチャンネルを受信した場合（ステップＳ２１でＹｅｓと判断された場合）には、まずその受信チャンネルの情報に複数種類の音声言語や字幕言語が含まれているか否かを判断する（ステップＳ２２）。その結果、複数種類の音声言語や字幕言語が含まれている場合（例えば、その受信チャンネルの放送内容が外国映画等である場合）には、ステップＳ２２での判断がＹｅｓとなるので、ＴＶ側マイコン２１は、ディスク側マイコン１１から送信されてくる優先設定情報に基づき、優先設定されている言語が、受信している映画の放送信号に含まれる言語情報のいずれかと一致するか否かを判断する（ステップＳ２３）。例えば、受信している映画に、音声言語として「英語」と「日本語」と「スペイン語」とが含まれており、字幕言語として「英語」と「日本語」とが含まれている場合には、優先設定されている言語と一致する（ステップＳ２３でＹｅｓと判断される）ため、ＴＶ側マイコン２１は、出力音声として「英語」を設定し、字幕言語として「日本語」を設定して、受信した映画の視聴を開始させる（ステップＳ２４）。
【００２７】
一方、受信チャンネルの情報に１種類の音声言語と字幕言語（ただし、字幕言語については含まれていない場合もある）しか含まれていない場合（ステップＳ２２でＮｏと判断された場合）には、そのまま受信した音声言語と字幕言語によって、受信した映画の視聴を開始させる（ステップＳ２５）。
【００２８】
また、複数種類の音声言語や字幕言語が含まれているものの、その言語が優先設定されている言語と一致しない場合（ステップＳ２３でＮｏと判断された場合）には、ＴＶ側マイコン２１は、予め用意されている音声言語のデフォルト値及び字幕言語のデフォルト値に基づいて再生音声と表示字幕の言語を設定して、受信した映画の視聴を開始させる（ステップＳ２６）。
【００２９】
このように、本実施形態によれば、ＴＶ側マイコン２１は、複数種類の音声言語や字幕言語を含む放送信号を受信した場合に、ディスク側マイコン１１から送信されてくる優先設定情報に基づいて、自動的に音声言語や字幕言語を設定することができる。従って、ユーザは、ディスク装置で設定した優先設定情報を、テレビジョン受信装置側でも再度設定する、といった手間を省くことができる。
【００３０】
なお、上記実施形態では、ディスク装置側で音声言語または字幕言語の優先設定処理を行った場合の、ディスク側マイコン１１及びＴＶ側マイコン２１による処理動作について説明しているが、ＴＶ装置側で音声言語または字幕言語の優先設定処理を行った場合の、ＴＶ側マイコン２１及びディスク側マイコン１１による処理動作については、ＴＶ側マイコン２１とディスク側マイコン１１の処理動作が上記とは逆になるだけである。
【００３１】
また、上記のようにディスク装置側で音声言語や字幕言語の優先設定を行った状態において、その後にテレビジョン受信装置側でもセットアップ画面から音声言語や字幕言語の優先設定を行った場合には、その後は、テレビジョン受信装置側で優先設定した内容がディスク装置側に反映されることになる。すなわち、テレビジョン受信装置またはディスク装置のいずれか一方で行った最新の優先設定情報が、両装置に有効に作用するようになっている。
【００３２】
また、上記実施形態では、一方のマイコンで設定した優先設定情報を他方のマイコンに常時送信する構成としているが、優先設定情報は、その優先設定時及びその後の電源オン時に他方のマイコンに送信し、他方のマイコンでは、その優先設定情報を自装置のメモリ部に更新記憶するように構成してもよい。これにより、両マイコンに設定されている優先設定情報を、装置が動作しているときには常に同じ情報に保つことができる。
【００３３】
なお、優先したい音声言語や字幕言語を設定する場合に、その設定内容を他方の装置にも反映させるか否かをユーザに選択させるように構成してもよい。これにより、ユーザが反映させないことを選択した場合には、テレビジョン受信装置及びディスク装置のそれぞれにおいて異なった優先設定を行うことが可能となる。
【図面の簡単な説明】
【００３４】
【図１】本発明のディスク装置内蔵型テレビジョン受像機の要部の電気的構成を示す機能ブロック図である。
【図２】ディスク装置側の音声言語または字幕言語の優先設定処理を行った場合のディスク側マイコンによる処理動作を説明するためのフローチャートである。
【図３】ディスク装置側の音声言語または字幕言語の優先設定処理を行った場合のＴＶ側マイコンによる処理動作を説明するためのフローチャートである。
【符号の説明】
【００３５】
１０  ディスク制御系
１１  ディスク側マイコン
１２  ディスク信号処理部
１２ａ  ＯＳＤ回路
１３  ディスク
１４  ディスク側メモリ部
２０  ＴＶ制御系
２１  ＴＶ側マイコン
２２  チューナ回路
２４  ＴＶ信号処理部
２４ａ  ＯＳＤ回路
２５  切換回路
２６  表示部
２７  増幅器
２８  スピーカ
２９  ＴＶ側メモリ部
３０  受信部
３５  バス通信
４１  リモコン
【図１】
2007123964.tif 000003
【図２】
2007123964.tif 000004
【図３】
2007123964.tif 000005